(57)【要約】  【課題】  従来のものよりも製造コストを低減することができる撮像装置及びそれを備えた携帯端末装置を提供すること。  【解決手段】  撮像装置１０は、被写体からの光を集光するレンズ１１と、レンズ１１に固定された磁石１２と、レンズ１１を光軸方向に移動させるレンズ移動手段１３と、磁石１２が発生する磁束を捕捉するホール素子１４と、ホール素子１４を駆動する定電流回路１５と、ホール素子１４の出力電圧を増幅するホールアンプ１６と、ホールアンプ１６の出力電圧と基準電圧とを比較するホールコンパレータ１７と、パルス幅変調信号を生成するＰＷＭ信号部１８と、レンズ移動手段１３を駆動制御する制御信号を出力するレンズ駆動制御部１９と、レンズ移動手段１３を駆動するレンズ駆動ドライバ２０とを備える。【選択図】  図１
2007041387.tif 000002
【特許請求の範囲】
【請求項１】
被写体からの光を集光するレンズと、このレンズを光軸方向に移動させるレンズ移動手段と、前記光軸方向のレンズ位置に応じた位置で磁束を発生する磁束発生手段と、前記磁束を捕捉して前記レンズ位置を示す位置電圧を出力する位置電圧出力手段とを備えたことを特徴とする撮像装置。
【請求項２】
第１の基準電圧及び前記位置電圧に基づいて前記レンズの無限端の位置を検出する無限端検出手段と、第２の基準電圧及び前記位置電圧に基づいて前記レンズのマクロ端の位置を検出するマクロ端検出手段とを備えたことを特徴とする請求項１に記載の撮像装置。
【請求項３】
前記レンズ移動手段は、前記無限端の位置と前記マクロ端の位置との間において前記レンズを前記光軸方向に移動させることを特徴とする請求項２に記載の撮像装置。
【請求項４】
所定の周期及びデューティを有するパルス幅変調信号を生成するパルス幅変調信号生成手段と、前記パルス幅変調信号を平滑して前記第１及び前記第２の基準電圧を生成する基準電圧生成手段とを備えたことを特徴とする請求項２又は請求項３に記載の撮像装置。
【請求項５】
周囲温度に依存する温度依存特性を前記位置電圧出力手段が有し、前記温度依存特性を補正する温度補正手段を備えたことを特徴とする請求項１から請求項４までのいずれか１項に記載の撮像装置。
【請求項６】
前記無限端検出手段及び前記マクロ端検出手段は、それぞれ、前記レンズの無限端の位置及び前記レンズのマクロ端の位置を検出する際に生じるチャタリングを防止するチャタリング防止手段を備えたことを特徴とする請求項２から請求項５までのいずれか１項に記載の撮像装置。
【請求項７】
請求項１から請求項６までのいずれか１項に記載の撮像装置を備えたことを特徴とする携帯端末装置。
【発明の詳細な説明】
【技術分野】
【０００１】
本発明は、撮像装置及びそれを備えた携帯端末装置に関する。
【背景技術】
【０００２】
近年、画像圧縮技術の進歩、イメージセンサの進化に伴い、携帯電話装置に搭載される撮像装置でも２００万画素を越えるものが出現している。そのため、この種の撮像装置においても、オートフォーカス、オートホワイトバランス、オートアイリス等の自動調整機構が必要となってきた。
【０００３】
このうちオートフォーカスは、レンズから被写体までの距離に応じて自動的にレンズを移動させ、フォーカスを調整する機構であるが、遠近あらゆる距離において調整可能なわけではなく、マクロ側及び無限側にそれぞれフォーカスを合わせることが可能な限界がある。したがって、撮像装置は、マクロ側の限界と無限側の限界とで定まる範囲内でレンズを自動的に移動させるように制御し、この範囲外においてレンズとその周辺の部品とが衝突して破損することを防止する必要がある。
【０００４】
従来、マクロ側のフォーカス限界点（以下「マクロ端」という。）と、無限側のフォーカス限界点（以下「無限端」という。）とを検出する方式として、特許文献１に記載された図５に示すようなフォトインタラプタ方式を用いたものが知られている。
【０００５】
図５（ａ）は、特許文献１に記載された従来の撮像装置の構成を示す図であり、図５（ｂ）は、フォトインタラプタ出力信号の波形を示す図である。図５（ａ）に示すように、従来の撮像装置は、レンズ１と、イメージセンサ２と、フォトインタラプタ３と、フォトインタラプタ３の位置を調整するネジ４と、レンズ１に固定され、無限端及びマクロ端のレンズ位置においてフォトインタラプタ３内の光を遮光する遮光板５とを備えている。
【０００６】
従来の撮像装置は、前述のように構成されているので、レンズ１の移動とともに遮光板５が移動し、無限端及びマクロ端のレンズ位置において遮光板５がフォトインタラプタ３内の光を遮光すると、図５（ｂ）に示すように、フォトインタラプタ３の出力信号は、無限端及びマクロ端のそれぞれの位置でローレベルになる。したがって、フォトインタラプタ３の位置をネジ４で調整し、フォトインタラプタ３の出力信号がハイレベルからローレベルに反転する位置でネジ４を固定することにより、従来の撮像装置は、無限端及びマクロ端のレンズ位置を検出することができるようになっている。
【０００７】
【特許文献１】特開２００２−３４１２２６号公報
【発明の開示】
【発明が解決しようとする課題】
【０００８】
しかしながら、従来の撮像装置では、フォトインタラプタ３及び遮光板５によって無限端及びマクロ端のレンズ位置を検出する構成なので、フォトインタラプタ３の位置を設定するためにはネジ４を手動で回して調整する工数が必要となり、製造コストが増大するという課題があった。
【０００９】
本発明は、従来の課題を解決するためになされたものであり、従来のものよりも製造コストを低減することができる撮像装置及びそれを備えた携帯端末装置を提供することを目的とする。
【課題を解決するための手段】
【００１０】
本発明の撮像装置は、被写体からの光を集光するレンズと、このレンズを光軸方向に移動させるレンズ移動手段と、前記光軸方向のレンズ位置に応じた位置で磁束を発生する磁束発生手段と、前記磁束を捕捉して前記レンズ位置を示す位置電圧を出力する位置電圧出力手段とを備えた構成を有している。
【００１１】
この構成により、本発明の撮像装置は、位置電圧出力手段は、無限端及びマクロ端を含むレンズ位置の位置電圧を出力し、レンズ移動手段は、位置電圧に基づいてレンズを光軸方向に移動させることができるので、従来のような手動による調整工数を削減することができ、従来のものよりも製造コストを低減することができる。
【００１２】
また、本発明の撮像装置は、第１の基準電圧及び前記位置電圧に基づいて前記レンズの無限端の位置を検出する無限端検出手段と、第２の基準電圧及び前記位置電圧に基づいて前記レンズのマクロ端の位置を検出するマクロ端検出手段とを備えた構成を有している。
【００１３】
この構成により、本発明の撮像装置は、無限端検出手段及びマクロ端検出手段によって、それぞれ、レンズの無限端及びマクロ端の位置を検出することができる。
【００１４】
さらに、本発明の撮像装置は、前記レンズ移動手段は、前記無限端の位置と前記マクロ端の位置との間において前記レンズを前記光軸方向に移動させる構成を有している。
【００１５】
この構成により、本発明の撮像装置は、レンズ移動手段は、無限端の位置とマクロ端の位置との間においてレンズを光軸方向に移動させるので、レンズが無限端とマクロ端との範囲外に移動することを防止し、レンズとその周辺部品との衝突によるレンズの破損を回避することができる。
【００１６】
さらに、本発明の撮像装置は、所定の周期及びデューティを有するパルス幅変調信号を生成するパルス幅変調信号生成手段と、前記パルス幅変調信号を平滑して前記第１及び前記第２の基準電圧を生成する基準電圧生成手段とを備えた構成を有している。
【００１７】
この構成により、本発明の撮像装置は、周期及びデューティを所定値に変更したパルス幅変調信号を平滑することにより、第１及び第２の基準電圧を容易に生成することができる。
【００１８】
さらに、本発明の撮像装置は、周囲温度に依存する温度依存特性を前記位置電圧出力手段が有し、前記温度依存特性を補正する温度補正手段を備えた構成を有している。
【００１９】
この構成により、本発明の撮像装置は、周囲温度が変化しても位置電圧出力手段の出力電圧を一定に保つことができるので、無限端及びマクロ端のレンズ位置を周囲温度に依存せずに検出することができる。
【００２０】
さらに、本発明の撮像装置は、前記無限端検出手段及び前記マクロ端検出手段は、それぞれ、前記レンズの無限端の位置及び前記レンズのマクロ端の位置を検出する際に生じるチャタリングを防止するチャタリング防止手段を備えた構成を有している。
【００２１】
この構成により、本発明の撮像装置は、レンズの無限端の位置及びレンズのマクロ端の位置を検出する際に、外部ノイズが発生した場合でも、無限端及びマクロ端のレンズ位置を安定して検出することができる。
【００２２】
本発明の携帯端末装置は、撮像装置を備えた構成を有している。
【００２３】
この構成により、本発明の携帯端末装置は、撮像装置が、無限端及びマクロ端のレンズ位置を電気的に検出して手動による調整工数を削減することができ、従来のものよりも製造コストを低減することができる。
【発明の効果】
【００２４】
本発明は、従来のものよりも製造コストを低減することができるという効果を有する撮像装置及びそれを備えた携帯端末装置を提供することができるものである。
【発明を実施するための最良の形態】
【００２５】
以下、本発明の実施の形態について図面を用いて説明する。
【００２６】
まず、本発明の実施の形態に係る撮像装置の構成について図１を用いて説明する。図１は、本実施の形態に係る撮像装置の構成を概略的に表したものである。
【００２７】
図１に示すように、本実施の形態に係る撮像装置１０は、被写体からの光を集光するレンズ１１と、レンズ１１に固定された磁石１２と、レンズ１１を光軸方向に移動させるレンズ移動手段１３と、磁石１２が発生する磁束を捕捉するホール素子１４と、ホール素子１４を駆動する定電流回路１５と、ホール素子１４の出力電圧を増幅するホールアンプ１６と、ホールアンプ１６の出力電圧と基準電圧とを比較するホールコンパレータ１７と、パルス幅変調（Ｐｕｌｓｅ  Ｗｉｄｔｈ  Ｍｏｄｕｌａｔｉｏｎ：以下「ＰＷＭ」という。）信号を生成するＰＷＭ信号部１８と、レンズ移動手段１３を駆動制御する制御信号を出力するレンズ駆動制御部１９と、レンズ移動手段１３を駆動するレンズ駆動ドライバ２０とを備えている。
【００２８】
なお、磁石１２は、本発明の磁束発生手段を構成している。また、ホール素子１４は、本発明の位置電圧出力手段を構成している。
【００２９】
レンズ１１は、プラスチックやガラス等で構成されている。レンズ１１の端部には、磁石１２が例えば接着剤で固定されている。なお、本発明は、磁石１２をレンズ１１に固定する構成に限定されるものではなく、例えばレンズ１１を支持する支持枠を設け、この支持枠に磁石１２を固定する構成としてもよい。
【００３０】
レンズ移動手段１３は、例えば圧電素子を含み、レンズ駆動ドライバ２０からの電気信号によって、レンズ１１のマクロ端から無限端までの間の任意の位置にレンズ１１を移動するようになっている。
【００３１】
ホール素子１４は、ホール効果を利用した磁電変換素子であり、定電流回路１５によって定電流駆動されるようになっている。ホール素子１４に定電流ＩＣを流し、外部から磁束密度Ｂの磁界を電流に対して垂直に作用させたとき、ホール素子１４の出力電圧ＶＨは次式で表される。
【００３２】
ＶＨ  ＝  ＲＨ／ｄ×ＩＣ×Ｂ          （１）
【００３３】
ここで、ＲＨはホール係数、ｄはホール素子の厚さを示している。
【００３４】
ホール素子１４は、例えば本体の筐体に固定され、レンズ１１と共に移動する磁石１２が発生する磁束を捕捉し、捕捉した磁束に応じた電圧を出力するようになっている。磁石１２はレンズ１１の位置に応じて移動するので、ホール素子１４が捕捉する磁石１２の磁束は、レンズ１１の光軸方向の位置に応じて変化する。したがって、ホール素子１４は、レンズ１１の光軸方向の位置に応じた位置電圧を出力することができる。
【００３５】
ホールアンプ１６は、ホール素子１４の出力電圧を増幅し、増幅した電圧をホールコンパレータ１７に出力するようになっている。
【００３６】
ホールコンパレータ１７は、ホールアンプ１６からの電圧と、ＰＷＭ信号部１８からの電圧とにより、レンズ１１の無限端とマクロ端とを電気的に検出するための信号を出力するようになっている。
【００３７】
ＰＷＭ信号部１８及びレンズ駆動制御部１９は、例えばデジタル信号プロセッサ（Ｄｉｇｉｔａｌ  Ｓｉｇｎａｌ  Ｐｒｏｃｅｓｓｏｒ：以下「ＤＳＰ」という。）で構成されている。ＰＷＭ信号部１８は、ホールコンパレータ１７の基準電圧となる信号をホールコンパレータ１７に供給するとともに、レンズ駆動ドライバ２０にレンズ１１を駆動するための信号を出力するようになっている。なお、ＰＷＭ信号部１８から出力される基準電圧は、例えば可変抵抗器やソフトウェア等によって調整できるようになっている。また、ＰＷＭ信号部１８は、本発明のパルス幅変調信号生成手段を構成している。
【００３８】
レンズ駆動制御部１９は、ホールコンパレータ１７の出力電圧に基づいてレンズ１１を駆動するための制御信号をレンズ駆動制御部１９に出力するようになっている。具体的には、レンズ駆動制御部１９は、ホールコンパレータ１７によって検出された電気的な無限端とマクロ端との間をレンズ１１の移動範囲として、レンズ１１を駆動するための制御信号を生成するようになっている。
【００３９】
レンズ駆動ドライバ２０は、レンズ駆動制御部１９から出力される制御信号に基づいてレンズ移動手段１３を駆動する電気信号を出力するようになっている。
【００４０】
次に、ホール素子１４、定電流回路１５、ホールアンプ１６及びホールコンパレータ１７の詳細な回路構成例について図２を用いて説明する。
【００４１】
図２において、電源端子２１は、電源電圧ＶＤＤとして例えば２．９Ｖが供給される端子である。ダイオード２２、抵抗２３〜２５及びアンプ２６は、ホール素子１４に定電流を供給する定電流回路１５（図１参照）を構成するものである。
【００４２】
ここで、ダイオード２２は、ホール素子１４の温度特性を補正するようになっている。ホール素子１４は、周囲温度が上昇するに従って出力電圧が低下する温度特性を有している。一方、ダイオード２２の順方向降下電圧は、周囲温度が上昇するに従って低下し、この順方向降下電圧が低下すると、電源電圧ＶＤＤが抵抗２３と抵抗２４とで分割された電圧、すなわちアンプ２６のプラス入力端子の電圧は高くなる。その結果、ホール素子１４に流入される電流が増加するので、ホール素子１４の出力電圧は上昇することとなり、ダイオード２２は、ホール素子１４の温度特性を補正することができる。なお、ダイオード２２は、本発明の温度補正手段を構成している。
【００４３】
ホール素子１４の出力電圧は、抵抗２７及び２８を介して、ホールアンプ１６のマイナス入力端子及びプラス入力端子にそれぞれ入力されるようになっている。さらに、ホールアンプ１６のプラス入力端子には、抵抗２９〜３１により、電源電圧ＶＤＤの半分の電圧値がバイアス電圧として入力されるようになっている。
【００４４】
また、ホールアンプ１６のマイナス入力端子と出力端子との間には抵抗３２が接続され、ホールアンプ１６のゲインαは、抵抗３２／抵抗２７によって決定される。ホールアンプ１６は、α倍に増幅したホール素子１４の出力電圧をホールコンパレータ１７ａ及び１７ｂに出力するようになっている。
【００４５】
ここで、ホールコンパレータ１７ａ及び１７ｂは、図１に示されたホールコンパレータ１７を構成するものである。そして、ホールコンパレータ１７ａは、レンズの無限端調整用コンパレータであり、ホールコンパレータ１７ｂは、レンズのマクロ端調整用コンパレータである。なお、ホールコンパレータ１７ａ及び１７ｂは、それぞれ、本発明の無限端検出手段及びマクロ端検出手段を構成している。
【００４６】
ホールコンパレータ１７ａのマイナス入力端子には、抵抗３３及びコンデンサ３４が接続されている。一方、ホールコンパレータ１７ｂのマイナス入力端子には、抵抗３５及びコンデンサ３６が接続されている。抵抗３３及び３５には、それぞれ、ＰＷＭ信号部１８からＰＷＭ信号が入力されるようになっている。
【００４７】
次に、ＰＷＭ信号について図３を用いて説明する。図３（ａ）は、ホールコンパレータ１７ａ周辺の回路を示す図であり、図３（ｂ）は、ＰＷＭ信号の波形を示す図である。
【００４８】
図３（ａ）に示すように、抵抗３３にはＰＷＭ信号部１８からＰＷＭ信号が入力され、このＰＷＭ信号は、抵抗３３及びコンデンサ３４で構成される平滑回路で平滑化され、平滑化された直流電圧がホールコンパレータ１７ａのマイナス入力端子に第１の基準電圧として入力されるようになっている。この第１の基準電圧の直流電圧値は、図３（ｂ）に示すように、ＰＷＭ信号のデューティ（パルス幅／周期）を、例えば上段に示された波形から下段に示された波形に変化させることによって可変することができる。さらに、ＰＷＭ信号の周期を変化させることによって、第１の基準電圧を調整する際の分解能を向上させることができる。
【００４９】
なお、抵抗３３、コンデンサ３４及びＰＷＭ信号部１８は、本発明の基準電圧生成手段を構成している。また、ホールコンパレータ１７ａは、第１の基準電圧とホールアンプ１６の出力電圧とを比較する際、例えば外部ノイズにより出力電圧がハイレベルとローレベルとを繰り返すチャタリングを防止するためのデジタル的なマスク処理回路（チャタリング防止手段）を有する構成としてもよい。
【００５０】
図３においては、ホールコンパレータ１７ａ周辺の回路について説明したが、ホールコンパレータ１７ｂ側においても同様の構成である、すなわち、図２において、抵抗３５にはＰＷＭ信号部１８からＰＷＭ信号が入力され、このＰＷＭ信号は、抵抗３５及びコンデンサ３６で構成される平滑回路で平滑化され、平滑化された直流電圧がホールコンパレータ１７ｂのマイナス入力端子に第２の基準電圧として入力されるようになっている。
【００５１】
なお、ホールコンパレータ１７ｂは、ホールコンパレータ１７ａと同様に、チャタリングを防止するためのデジタル的なマスク処理回路を有する構成としてもよい。また、抵抗３５、コンデンサ３６及びＰＷＭ信号部１８は、本発明の基準電圧生成手段を構成している。
【００５２】
次に、第１及び第２の基準電圧の調整方法について図４を用いて説明する。図４は、レンズ１１の位置に対するホール素子１４の出力電圧の関係の一例を示したものであり、レンズ１１の基準位置を０ｍｍとし、レンズ位置のマイナス側及びプラス側を、それぞれ、無限端側及びマクロ端側と定義している。
【００５３】
ホール素子１４の出力電圧は、図４に示すように、無限端側の−０．９ｍｍ付近で約４０ｍＶであり、レンズ１１がマクロ端側に移動するに従って徐々に減少し、＋０．９ｍｍ付近で約−４０ｍＶとなる特性を有している。
【００５４】
例えば、レンズ１１の移動範囲を±０．２ｍｍに設定する場合、無限端側のフォーカスの限界位置を設定する第１の基準電圧は、ホールコンパレータ１７ａの出力電圧が−０．２ｍｍの位置でハイレベルとローレベルとが反転するようＰＷＭ信号部１８の出力電圧を調整する。一方、マクロ端側のフォーカスの限界位置を設定する第２の基準電圧は、ホールコンパレータ１７ｂの出力電圧が＋０．２ｍｍの位置でハイレベルとローレベルとが反転するようＰＷＭ信号部１８の出力電圧を調整する。
【００５５】
前述のように、本実施の形態に係る撮像装置１０は、第１及び第２の基準電圧を調整することによって、レンズ１１の無限端とマクロ端とを電気的に位置決めすることができるので、無限端とマクロ端との範囲外において、例えばレンズ１１と筐体に設けられた部品とが衝突してレンズ１１及びその周辺の部品が破損することを防止できる。
【００５６】
次に、本実施の形態の撮像装置１０の動作について図１〜図４を用いて説明する。
【００５７】
まず、定電流回路１５によって、ホール素子１４を駆動する電流が生成される。次いで、ホール素子１４によって、磁石１２からの磁束に応じた電圧がホールアンプ１６に出力され、ホールアンプ１６によって増幅される。
【００５８】
さらに、ホールコンパレータ１７ａ及び１７ｂによって、増幅されたホール素子１４の出力電圧に応じてハイレベル又はローレベルの信号が出力される。
【００５９】
ここで、ＰＷＭ信号部１８によって、レンズ１１を所定位置から無限端側又はマクロ端側に移動するための信号がレンズ駆動制御部１９に出力された場合を想定する。この場合、レンズ駆動制御部１９は、レンズ駆動ドライバ２０及びレンズ移動手段１３を介してレンズ１１を移動させる。レンズ１１が移動すると、レンズ１１に固定された磁石１２も移動し、ホール素子１４の出力が変化するので、ホールコンパレータ１７ａ及び１７ｂのプラス入力端子に、それぞれ入力される電圧が変化する。
【００６０】
レンズ駆動制御部１９は、ホールコンパレータ１７ａ及び１７ｂの出力電圧を監視しており、ホールコンパレータ１７ａ又は１７ｂの出力電圧が反転した場合、その位置をそれぞれ無限端又はマクロ端と判定し、レンズ１１の移動を停止させることができる。
【００６１】
以上のように、本実施の形態に係る撮像装置１０によれば、磁石１２は、レンズ１１の位置に応じた位置で磁束を発生し、ホール素子１４は、磁石１２の磁束を捕捉してレンズ１１の位置を示す位置電圧を出力し、レンズ移動手段１３は、ホールコンパレータ１７ａ及びホールコンパレータ１７ｂによってそれぞれ示されるレンズの無限端とマクロ端との間でレンズ１１を移動させる構成としたので、従来のような手動による調整からＰＷＭ信号を調整する電子調整にして調整工数を大幅に削減することができ、従来のものよりも製造コストを低減することができる。
【００６２】
また、本実施の形態に係る撮像装置１０によれば、従来のものとは異なり、無限端及びマクロ端のレンズ位置を手動で調整する必要がなく、調整用のスペースを必要としないので、従来のものよりも小型化を図ることができる。
【００６３】
また、本実施の形態に係る撮像装置１０を例えば携帯電話装置のような携帯端末装置に適用すれば、従来のものよりも低価格化及び小型化を図ることができる。
【００６４】
なお、前述の実施の形態において、磁束を発生する磁束発生手段として磁石１２を用い、磁石１２の磁束を捕捉してレンズ１１の位置電圧を出力する位置電圧出力手段としてホール素子１４を用いる構成を例に挙げて説明したが、本発明はこれに限定されるものではなく、磁束を発生するものと、この磁束を捕捉して電気信号を出力するものとを組み合わせる構成としても同様の効果が得られる。
【産業上の利用可能性】
【００６５】
以上のように、本発明に係る撮像装置は、従来のものよりも製造コストを低減することができるという効果を有し、撮像装置及びそれを備えた携帯端末装置等として有用である。
【図面の簡単な説明】
【００６６】
【図１】本発明の実施の形態に係る撮像装置の概略的な構成図
【図２】本発明の実施の形態に係る撮像装置における詳細な回路構成例を示す図
【図３】（ａ）  本発明の実施の形態に係る撮像装置のホールコンパレータ周辺の回路を示す図  （ｂ）  本発明の実施の形態に係る撮像装置のＰＷＭ信号の波形を示す図
【図４】本発明の実施の形態に係る撮像装置のレンズの位置に対するホール素子の出力電圧の関係の一例を示す図
【図５】（ａ）従来の撮像装置の構成図  （ｂ）従来の撮像装置におけるフォトインタラプタ出力信号の波形を示す図
【符号の説明】
【００６７】
１０  撮像装置
１１  レンズ
１２  磁石（磁束発生手段）
１３  レンズ移動手段
１４  ホール素子（位置電圧出力手段）
１５  定電流回路
１６  ホールアンプ
１７  ホールコンパレータ（無限端検出手段、マクロ端検出手段）
１７ａ  ホールコンパレータ（無限端検出手段）
１７ｂ  ホールコンパレータ（マクロ端検出手段）
１８  ＰＷＭ信号部（パルス幅変調信号生成手段、基準電圧生成手段）
１９  レンズ駆動制御部
２０  レンズ駆動ドライバ
２１  電源端子
２２  ダイオード（温度補正手段）
２３〜２５、２７〜３２  抵抗
２６  アンプ
３３  抵抗（基準電圧生成手段）
３４  コンデンサ（基準電圧生成手段）
３５  抵抗（基準電圧生成手段）
３６  コンデンサ（基準電圧生成手段）
【図１】
2007041387.tif 000003
【図２】
2007041387.tif 000004
【図３】
2007041387.tif 000005
【図４】
2007041387.tif 000006
【図５】
2007041387.tif 000007